(57)【要約】【課題】使用者が安全かつ確実に着火することのできる携帯用着火装置を提供する。【解決手段】本携帯用着火装置１は、略円筒状のケーシング１０に接続された逆円錐台状のフード２０内にライター３０の着火ノズル３１を配するとともに、この着火ノズル３１と離間した位置でフード２０を切り欠いた上で、ケーシング１０内に被着火物５０をフード２０側から取り出し可能に収容しておき、被着火物５０の取り出し位置付近に、フード２０の切り欠き部分２４を配するものである。【選択図】図１
0003157441.tif 000002
【実用新案登録請求の範囲】
【請求項１】
防風機能付きの携帯用着火装置であって、
略円筒状のケーシングに接続された拡径状のフード内に着火源を配するとともに、
該着火源と離間した位置で前記フードを切り欠いたことを特徴とする携帯用着火装置。
【請求項２】
前記ケーシング内に被着火物を前記フード側から取り出し可能に収容しておき、
該被着火物の取り出し位置付近に、前記フードの切り欠き部分を配することを特徴とする請求項１記載の携帯用着火装置。
【請求項３】
前記ケーシング内にライターを弾性的に嵌め込むとともに、該ライターの着火ノズルを前記フード内に突出させて前記着火源を構成したことを特徴とする請求項１又は２記載の携帯用着火装置。
【請求項４】
前記ケーシングの先端と前記フードとにそれぞれ隔壁を設けており、
該ケーシングの軸心まわりに前記フードを相対回転させて各隔壁に設けた孔同士を一致させることで、ケーシング内の被着火物をフード側に所定量ずつ取り出し可能としたことを特徴とする請求項１〜３のいずれか１項に記載の携帯用着火装置。
【請求項５】
前記ケーシングを断面視で少なくとも２区画に分けてそれぞれの区画に複数種類の被着火物を分けて収容可能としたことを特徴とする請求項４記載の携帯用着火装置。
【請求項６】
前記ケーシングにストラップを係脱自在に設けたことを特徴とする請求項１〜５のいずれか１項に記載の携帯用着火装置。
【考案の詳細な説明】
【技術分野】
【０００１】
本考案は、例えば戸外における強風下でも被着火物に容易に着火できる防風機能付きの携帯用着火装置に関するものである。
【背景技術】
【０００２】
従来、線香に着火するには、使用者が直接ライターなどで着火していたが、戸外などで特に風が強いときには、なかなか着火することができなかった。
【０００３】
そこで、例えば特許文献１，２の技術のように、先端側を拡径して略楕円状に開口した筒状フードを、ライターに着脱自在に取り付け、使用者が筒状フードの先端側から内部に線香の基部を手で持った状態で斜め下方に挿入し、ライターを着火し、フード内で風除けをしながら線香の先端部に着火する防風用着火具が提案された。
【考案の概要】
【考案が解決しようとする課題】
【０００４】
しかし、前記特許文献１，２に記載された従来技術では、使用者が筒状フードの先端側から内部に線香の基部を手で持った状態で斜め下方に挿入し、ライターを着火し、フード内で風除けをしながら線香の先端部に着火するので、戸外でも線香に着火しやすくなるものの、特に強風下で線香の先端部に着火したときに線香が燃え上がり、その炎が線香の基部を持っている手に達して使用者が火傷するおそれがあった。
【０００５】
しかも、通常は、複数本の線香（３〜６本、それ以上もありうる。）を同時に着火することが多いため、フードの先端側に挿入した線香自体が邪魔になって、使用者がそれらの線香の先端部の着火状態を視認しにくいものであった。
【０００６】
本考案は、上記事情に鑑みたものであり、その目的とするところは、使用者が安全かつ確実に着火することのできる携帯用着火装置を提供することである。
【課題を解決するための手段】
【０００７】
本考案は、防風機能付きの携帯用着火装置であって、略円筒状のケーシングに接続された拡径状のフード内に着火源を配するとともに、該着火源と離間した位置で前記フードを切り欠いたことを特徴とするものである。
【０００８】
本考案によれば、略円筒状のケーシングに接続された拡径状のフード内に着火源を配するとともに、該着火源と離間した位置で前記フードを切り欠いたので、この切り欠き部分から使用者が被着火物を挿入して着火源にて着火させることができる。その際、被着火物の先端部をフードの切り欠き部分を介して、その着火源に近づけることができる。したがって、特に強風下で被着火物に着火して、万一その被着火物が燃え上がったとしても、被着火物を持った手は炎とは離間した位置にあり、しかもその炎はフードで遮られて被着火物を持った手に達することがない。これにより、強風下においても被着火物が燃え上がったときの炎で手に火傷を負うおそれがなくなり、使用者の安全が確保されるようになる。
【０００９】
また、複数本の被着火物を同時に着火させるときでも、それらの被着火物の先端部をフードの切り欠き部分を介して、着火源に近づけることができる。したがって、使用者がフードの開放端側から被着火物の先端部の着火状態を視認しやすいものとなる。これにより、被着火物を確実に着火できるようになる。
【００１０】
請求項２記載の考案のように、前記ケーシング内に被着火物を前記フード側から取り出し可能に収容しておき、該被着火物の取り出し位置付近に、前記フードの切り欠き部分を配することが好ましい。
【００１１】
請求項２記載の考案によれば、前記ケーシング内に被着火物を前記フード側から取り出し可能に収容しておくので、被着火物を別途持参する必要がなくなる。また、該被着火物の取り出し位置付近に、前記フードの切り欠き部分を配したので、被着火物をケーシング内からフード側に取り出すときに、その取り出し位置で万一詰まってしまったとしても、使用者がフードの切り欠き部分から指を突っ込んでその詰まった被着火物を外部に取り出すことができて便利である。
【００１２】
請求項３記載の考案のように、前記ケーシング内にライターを弾性的に嵌め込むとともに、該ライターの着火ノズルを前記フード内に突出させて前記着火源を構成することが好ましい。
【００１３】
請求項３記載の考案によれば、前記ケーシング内にライターを弾性的に嵌め込むことにより、ライターがいわゆるガス切れ状態となると、そのライターをケーシングから外して、新品と交換することが容易となる。また、該ライターの着火ノズルを前記フード内に突出させて前記着火源を構成したので、着火源がフードの中間位置にあって、防風機能がよりよく発揮されるとともに、着火した被着火物の炎がフードの周面や底面に直接当たらなくなるため、フードが加熱されるおそれがなくなり、より安全なものとなる。
【００１４】
請求項４記載の考案のように、前記ケーシングの先端と前記フードとにそれぞれ隔壁を設けており、該ケーシングの軸心まわりに前記フードを相対回転させて各隔壁に設けた孔同士を一致させることで、ケーシング内の被着火物をフード側に所定量ずつ取り出し可能とすることが好ましい。
【００１５】
請求項４記載の考案によれば、前記ケーシングの先端と前記フードとにそれぞれ隔壁を設けており、該ケーシングの軸心まわりに前記フードを相対回転させて各隔壁に設けた孔同士を一致させることで、ケーシング内の被着火物をフード側に所定量ずつ取り出し可能としたので、ワンタッチで被着火物の取り出しができるとともに、前記孔同士の一致する具合を調節することで、被着火物の取り出し量を調節できて、より便利なものとなる。
【００１６】
請求項５記載の考案のように、前記ケーシングを断面視で少なくとも２区画に分けてそれぞれの区画に複数種類の被着火物を分けて収容可能とすることが好ましい。
【００１７】
請求項５記載の考案によれば、前記ケーシングを断面視で少なくとも２区画に分けてそれぞれの区画に複数種類の被着火物を分けて収容可能としたので、複数種類の被着火物を収容できて、さらに便利なものとなる。
【００１８】
請求項６記載の考案のように、前記ケーシングにストラップを係脱自在に設けることが好ましい。
【００１９】
請求項６記載の考案によれば、前記ケーシングにストラップを係脱自在に設けたので、携帯時の利便性が向上する。
【考案の効果】
【００２０】
本考案によれば、略円筒状のケーシングに接続された拡径状のフード内に着火源を配するとともに、該着火源と離間した位置で前記フードを切り欠いたので、この切り欠き部分から使用者が被着火物を挿入して着火源にて着火させることができる。その際、被着火物の先端部をフードの切り欠き部分を介して、その着火源に近づけることができる。したがって、特に強風下で被着火物に着火して、万一その被着火物が燃え上がったとしても、被着火物を持った手は炎とは離間した位置にあり、しかもその炎はフードで遮られて被着火物を持った手に達することがない。これにより、強風下においても被着火物が燃え上がったときの炎で手に火傷を負うおそれがなくなり、使用者の安全が確保されるようになる。
【００２１】
また、複数本の被着火物を同時に着火させるときでも、それらの被着火物の先端部をフードの切り欠き部分を介して、着火源に近づけることができる。したがって、使用者がフードの開放端側から被着火物の先端部の着火状態を視認しやすいものとなる。これにより、被着火物を確実に着火できるようになる。
【図面の簡単な説明】
【００２２】
【図１】本考案の一実施形態に係る携帯用着火装置の全体構成を示す模式図である。
【図２】本携帯用着火装置の組立て手順を示す斜視図である。
【図３】本携帯用着火装置を用いて線香に着火させるときの様子を示す説明図である。
【考案を実施するための形態】
【００２３】
図１は本考案の一実施形態に係る携帯用着火装置（以下、「本携帯用着火装置」という。）１の全体構成を模式的に示す図であって、（ａ）は側面図、（ｂ）はケーシング内から何も取り出さないときの正面図、（ｃ）はケーシング内から線香を取り出すときの正面図である。また、図２は本携帯用着火装置１の組立て手順を示す斜視図であって、（ａ）は第一工程図、（ｂ）は第二工程図、（ｃ）は第三工程図、（ｄ）は第四工程図であり、この第四工程図は本携帯用着火装置１の完成品を示している。以下、特に指示なき場合には、本携帯用着火装置１の使用時を考えて、ケーシング１０の長手方向を縦方向（縦向き）といい、ケーシング１０の長手方向と直交する方向を横方向（横向き）ということとする。
【００２４】
例えば図１（ａ）及び図２（ａ）〜（ｄ）に示すように、本携帯用着火装置１は、金属、非金属、或いは、不燃性又は難燃性の合成樹脂などからなっており、主要部として、ケーシング１０と、フード２０と、ライター３０と、ストラップ４０とを備えている。５０はケーシング１０内に収容された被着火物である。
【００２５】
このうちのケーシング１０は、前後に段部１１１，１１２を有する長尺円筒状のケーシング本体１１と、ケーシング本体１１内に装填して固定されるライター接続部１２と、ケーシング本体１１の先端を塞ぐ前蓋１３と、ケーシング本体１１の後端を塞ぐ後蓋１４と、ストラップ４０を係脱自在に係止するストラップ係止部１５とをさらに備えている。
【００２６】
ライター接続部１２は、平面視で長方形状の底板１２３の左右に立設されてライター３０を挟みこむ側板１２１，１２２と、底板１２３の側板１２１，１２２とは反対側に立設された縦板１２４とを備えている。この縦板１２４は、ケーシング本体１１に嵌めこまれた状態で、被着火物である線香と蝋燭とを各収容室１２５，１２６に分けて収容するためのものである。
【００２７】
前蓋１３は、ケーシング本体１１の先端に嵌め込み可能な周壁１３１と、周壁１３１の先端を塞ぐ塞板（隔壁）１３２とを備えている。この塞板１３２の円周方向の三方に適宜振り分けた位置に円孔（又は半円孔）１３３，１３４，１３５がそれぞれ形成されている。周壁１３１はライター接続部１２の左右側板１２１，１２２と重なる位置で切り欠かれている。一方、後蓋１４は、ケーシング本体１１の後端に嵌め込み可能な周壁１４１と、周壁１４１の後端を塞ぐ塞板１４２とを備えている。
【００２８】
フード２０は、ケーシング本体１１の先端に接続可能なフード基部２１と、フード基部を逆円錐台状に拡径したフード先端部２２と、フード基部２１とフード先端部２２との間に設定された円板状の隔壁２３とを一体的に備えている。フード先端部２２の周壁は、ライター３０の着火ノズル３１と離間した位置でＵ字状に切り欠いている。この切り欠き部分２４は本発明の特徴をなすものであり、その大きさはおよそ使用者の親指が楽に入る程度とすることが好ましい。隔壁２３には、その回転中心まわりに円弧状に配置された長孔２３１と、この長孔２３１とは前記回転中心に対して反対側となる位置に形成された１個の半円孔２３２とが備わっている。
【００２９】
引き続いて、本携帯用着火装置１を組み立てて完成品を作る手順と、その完成品の使用方法とについて説明する。図３は本携帯用着火装置１を用いて被着火物５０としての線香に着火させるときの様子を示す説明図である。
【００３０】
図２（ａ）に示すように、まず、ケーシング本体１１内にライター接続部１２を固定して、そのケーシング本体１１の一部を同本体の内側に折り返してライター接続部１２の後壁となる弾性壁（スプリング）１２４ａを構成する。このため、ケーシング本体１１のライター接続部１２に対応する部分は適宜切り欠いており、その切り欠き部分の一部を利用して前記弾性壁１２４ａをつくるものとする。そして、ライター接続部１２により形成されたライター収容室１２０の天井部分から、ライター３０を縦向きに入れて装着する（第一工程）。このようにして、ケーシング１０内にライター３０を弾性壁１２４ａに押し付けるようにして嵌め込むことにより、ライター３０が確実に保持されるようになる。この場合、ライター３０が使用済み（いわゆるガス切れ）状態となると、そのライター３０のケーシング本体１１からの突出部を引っ張り出すだけで、弾性壁１２４ａが簡単に変形するから、使用者は使用済みのライター３０をケーシング１０から外して、新品と交換することが容易となる。なお、ケーシング１０内におけるライター３０の装着位置は、該ケーシング１０の軸心よりもやや外側にあるが、これは前記ライター３０の交換のしやすさを考慮したものである。
【００３１】
次いで、図２（ｂ）に示すように、ケーシング本体１１の先端の段部１１１に前蓋１３を嵌め込んで固定する。このときには、ライター３０の着火ノズル３１が、前蓋１３に設けられた３つの孔のうちの１つの孔１３３から先端側に突出する。他の２つの孔１３４，１３５はケーシング本体１１内に形成された２種類の被着火物５０の収容室１２５，１２６にそれぞれ連通している。そして、ケーシング本体１１の後端の段部１１２に後蓋１４を取り外し自在に嵌め込む（第二工程）。ケーシング本体１１の後端の段部１１２から後蓋１４を取り外して、一方の収容室１２５内に被着火物５０としての例えば棒状の線香を縦向きにして複数本収容する。他方の収容室１２６に例えば蝋燭を縦向きにして複数本収容する。しかる後に、後蓋１４をケーシング本体１１の後端の段部１１２に嵌め込む。
【００３２】
次いで、図２（ｃ）に示すように、ケーシング本体１１の先端側に取り付けた前蓋１３にフード基部２１を被せると、フード基部２１とフード先端部２２との間にある隔壁２３が前蓋１３と重なった状態で軸心まわりに回転可能となる（第三工程）。すると、図２（ｄ）及び図１（ｂ）に示すように、隔壁２３に開口した円弧状の長孔２３１と前蓋１３の３つの孔のうちの１つの孔１３３とが重なった状態でライター３０の着火ノズル３１が前方に突出し、例えば隔壁２３に開口した１つの孔２３２と前蓋１３の他の２つの孔１３４，１３５のいずれとも重ならない状態では、各収容室１２５，１２６が密閉されるようになる（第四工程）。このようにして、本携帯用着火装置１が完成する。ここでは、ライター３０の着火ノズル３１をフード２０内に突出させて着火源を構成している。また、ストラップ４０をストラップ係止部１５に引掛けることで、ケーシング１０にストラップ４０を係脱自在に設けたので、その携帯時の利便性が向上する。
【００３３】
次いで、使用者が手でもって、フード２０をケーシング１０に対して相対回転させることで、フード基部２１とフード先端部２２との間にある隔壁２３を前蓋１３の塞板１３２と重なった状態で軸心まわりに回転させる。すると、図１（ｃ）に示すように、隔壁２３に開口した円弧状の長孔２３１と前蓋１３の塞板１３２の３つの孔のうちの１つの孔１３３とが重なった状態でライター３０の着火ノズル３１が突出したまま、隔壁２３に開口した１つの孔２３２と前蓋１３の他の２つの孔１３４，１３５のいずれとが重なった状態となる。この状態で、本携帯用着火装置１を前下がりとなるように若干傾斜させると、各収容室１２５，１２６の１つから被着火物５０が自然落下してそれを外部に取り出せるようになる。
【００３４】
例えば図１（ｃ）に示すように、フード２０をケーシング１０に対して時計まわり方向に回転させることで、孔２３２，１３４を一致させて、収容室１２５に収容された線香を取り出せるようになる。この逆に、フード２０をケーシング１０に対して反時計まわり方向に回転させると、孔２３２，１３５を一致させて、収容室１２６に収容された蝋燭を取り出せるようになる。いずれの場合にせよ、被着火物５０をその収容室１２５，１２６の一方から取り出した後で、フード２０をケーシング１０に対して直前の操作とは逆向きに回転させることで、図１（ｂ）の状態に復帰させておく必要があることはいうまでもない。
【００３５】
このようにして、ケーシング１０内に被着火物５０をフード２０側から取り出し可能に収容しておくので、被着火物５０を別途持参する必要がなくなる。また、ケーシング１０の先端に前蓋１３の塞板１３２を設けるとともに、フード２０の基部に隔壁２３を設けており、ケーシング１０の軸心まわりにフード２０を相対回転させて前蓋１３の塞板１３２と隔壁２３とにそれぞれ設けた孔同士を一致させることで、ケーシング１０内の被着火物５０をフード２０側に所定量ずつ取り出し可能としたので、ワンタッチで被着火物５０の取り出しができるとともに、前記孔同士の一致する具合を調節することで、被着火物５０の取り出し量を調節できてより便利である。また、ここでは、ケーシング１０を断面視で少なくとも２区画に分けてそれぞれの区画に複数種類の被着火物５０を分けて収容可能としたので、複数種類の被着火物５０を収容できてさらに便利である。
【００３６】
また、フード２０の切り欠き部分２４を、ライター３０の着火ノズル３１と離間した位置であって、被着火物５０の取り出し位置付近に配したので、被着火物５０をケーシング１０内からフード２０側に取り出すときに、その取り出し位置で万一詰まってしまったとしても、使用者がフード２０の切り欠き部分２４から指を突っ込んでその詰まった被着火物５０を外部に取り出すことができて便利である。
【００３７】
そして、図３に示すように、使用者は本携帯用着火装置１のケーシング１０がほぼ鉛直方向となるように手で保持して、各収容室１２５，１２６のいずれか一方から取り出した被着火物５０である例えば線香の基部から中間部までの間を手でもって、その先端部をフード先端部２２の切り欠き部分２４を介してフード先端部２２内に突っ込む。しかる後に、ライター３０の側面にある押圧部３２を手で押圧することによって、その着火ノズル３１から出た炎３１ａを、フード先端部２２に突っ込んだ被着火物５０である線香の先端部に当てて着火させる。その際、線香の先端部をフード２０の切り欠き部分２４を介して、その着火ノズル３１に対して横向きに近づけることができる。
【００３８】
したがって、特に強風下で線香に着火して、万一その線香が燃え上がったとしても、線香を持った手は炎３１ａとは横方向の離間した位置にあり、しかもその炎３１ａはフード２０で遮られて線香を持った手に達することがない。これにより、強風下においても線香が燃え上がったときの炎３１ａで手に火傷を負うおそれがなくなり、使用者の安全が確保されるようになる。このときには、着火源であるライター３０の着火ノズル３１がフード２０の中間位置にあって、防風機能がよりよく発揮されるとともに、着火した線香の炎３１ａがフード２０の周面や底面に直接当たらなくなるため、フード２０が加熱されるおそれがなくなりさらに安全が確保されるようになる。
【００３９】
また、複数本の線香を同時に着火させるときでも、それらの線香の先端部をフード２０の切り欠き部分２４を介して、着火ノズル３１に対して横向きに近づけることができる。したがって、使用者がフード２０の開放端側から線香の先端部の着火状態を視認しやすいものとなる。これにより、複数本の線香を確実に着火できるようになる。
【００４０】
なお、上記実施形態では、ケーシング１０内の被着火物５０を収容する各収容室１２５，１２６の大きさを同じとしているが、これらの大きさは、収容する被着火物５０の種類に応じて適宜変更することができ、例えば被着火物である線香を収容する収容室１２５を大きくして、蝋燭を収容する収容室１２６を小さくすることとしてもよい。また、収容室の数にしても２つに限られず、収容する被着火物５０の種類の数に応じて適宜変更することができ、例えば被着火物５０の種類が１つであれば収容室の数も１つでよく、被着火物５０の種類が３以上であれば収容室の数も３以上とすることとすればよい。
【００４１】
また、上記実施形態では、円筒状のケーシング１０に接続されるフード２０を逆円錐台状に拡径したが、フード２０をケーシング１０の断面よりも大きくすればよく、例えば多段状に拡径することとしてもよい。また、ケーシング１０を円筒状とする代わりに、多角筒状としてもよいし、さらにフード２０を逆円錐台状とする代わりに、逆多角錐台状にしてもよい。
【００４２】
また、上記実施形態では、フード２０の切り欠き部分２４の形状を、Ｕ字状としているが、同様の作用効果を奏しうるものであれば、凹字状、Ｖ字状、その他のどのような形状であってもよいのはもちろんである。
【符号の説明】
【００４３】
１  携帯用着火装置
１０  ケーシング
１１  ケーシング本体
１２  ライター接続部
１３  前蓋
１３２  塞板（ケーシングの先端の隔壁に相当する。）
１３３，１３４，１３５  孔
１４  後蓋
１５  ストラップ係止部
２０  フード
２１  フード基部
２２  フード先端部
２３  隔壁（フードの隔壁に相当する。）
２３１，２３２  孔
２４  切り欠き部分
３０  ライター
３１  着火ノズル（着火源に相当する。）
３１ａ  炎
４０  ストラップ
５０  被着火物（例えば線香や蝋燭である。）
【先行技術文献】
【特許文献】
【００４４】
【特許文献１】実用新案登録第３０３６８２４号公報
【特許文献２】特開２００６−６４２２５号公報
【図１】
0003157441.tif 000003
【図２】
0003157441.tif 000004
【図３】
0003157441.tif 000005